(57)【要約】【課題】フィルターからの液漏れが生じ難く、しかも、フィルターの有効面積を十分に確保することのできるガス抜きプラグを提供する。【解決手段】液体容器の装着口に装着されて該液体容器内を大気開放させるガス抜きプラグ１００であって、前記装着口を塞ぐ閉塞部１０を有するプラグ本体１と、前記閉塞部１０の接液側の面に設けられた凹部１４と、該凹部１４の底に設けられ、前記閉塞部１０を貫通する通気孔１５と、外周縁部が全周に渡って前記凹部１４周りに熱溶着されて前記プラグ本体１に一体化された通気性を有するフィルター２０とを備える。【選択図】図３
2010228801.tif 000002
【特許請求の範囲】
【請求項１】
液体容器の装着口に装着されて該液体容器内を大気開放させるガス抜きプラグであって、
前記装着口を塞ぐ閉塞部を有するプラグ本体と、
前記閉塞部の接液側の面に設けられた凹部と、
該凹部の底に設けられ、前記閉塞部を貫通する通気孔と、
外周縁部が全周に渡って前記凹部周りに熱溶着されて前記プラグ本体に一体化された通気性を有するフィルターと
を備えることを特徴とするガス抜きプラグ。
【請求項２】
前記フィルター周りに突設された筒状部と、
該筒状部の内側と外側とを連通させるスリットと、
前記筒状部の先端に装着されて筒状部先端の開口を閉塞するカバーと、
該カバーの内側と外側とを連通させる貫通孔と
を備えることを特徴とする請求項１に記載のガス抜きプラグ。
【請求項３】
前記液体容器から突設されると共に雌ネジが設けられた装着口に装着されるガス抜きプラグであり、
前記プラグ本体の外周面に設けられ、前記雌ネジに螺合する雄ネジと、
前記雄ネジよりも先端側に装着され、前記プラグ本体と前記装着口とをシールするパッキンとを備える
ことを特徴とする請求項１または請求項２に記載のガス抜きプラグ。
【発明の詳細な説明】
【技術分野】
【０００１】
本発明は、ガス抜きプラグに関するものであり、詳しくは、液体容器の装着口に装着されて液体容器内を大気開放させるガス抜きプラグに関するものである。
【背景技術】
【０００２】
液体容器に液体を充填して密閉した場合、液体容器内の圧力と外気圧とで差圧が生じていると、差圧による応力が液体容器に加わり、液体容器が膨れたり凹んだりする。そして、長期間に渡って差圧による応力が負荷されていると、液体容器に復元不能な変形が生じてしまったり、場合によっては液体容器が破損することもある。
【０００３】
そこで、従前より、液体容器内を大気開放させるためにガス抜きプラグが用いられていた。特に、樹脂によって形成された樹脂容器では、鋼板によって形成されたスチール容器に比して脆弱であることから、密封する必要のない液体を取り扱う場合には、差圧による変形や破損を防止するためにガス抜きプラグが通常、用いられていた。
【０００４】
ここで、ガス抜きプラグは、液体容器の装着口に装着されるものであり、液体容器の内部空間と液体容器の外部空間とを連通させる通気孔を有するものであるが、液体容器内の液体が通気孔から不用意に漏れ出さないように、通気孔に通気性を有するフィルターが設けられたものである。
【発明の概要】
【発明が解決しようとする課題】
【０００５】
従来のガス抜きプラグとしては、液体容器の装着口を塞ぐプラグ本体にフィルター装着部を設け、このフィルター装着部にフィルターを嵌め込んだものがあるが、このようなガス抜きプラグでは、プラグ本体とフィルターとの密着性が完全でなく、液漏れする虞があった。
【０００６】
また、従来のガス抜きプラグでは、通気孔を塞ぐようにしてフィルターが配置されている。よって、従来のガス抜きプラグでは、フィルターの通気領域が通気孔の開口部分に対応する領域だけであり、フィルターの有効面積（実際に気体が通過する部分の面積）が小さく、液体容器内の圧力と大気圧との差圧を速やかに解消することができないものであった。特に、通気孔は、液体容器内の液体が不用意に漏れ出さないように細微な孔によって構成されているのが通常であり、このような細微な通気孔を塞ぐフィルターは、有効面積が極めて小さく、液体容器内の圧力と大気圧との差圧を速やかに解消することができない。
【０００７】
本発明は、上記実情を鑑みてなされたものであり、フィルターからの液漏れが生じ難く、しかも、フィルターの有効面積を十分に確保することのできるガス抜きプラグの提供を課題とする。
【課題を解決するための手段】
【０００８】
上記課題を解決するために本発明の採った主要な手段は、
「液体容器の装着口に装着されて該液体容器内を大気開放させるガス抜きプラグであって、
前記装着口を塞ぐ閉塞部を有するプラグ本体と、
前記閉塞部の接液側の面に設けられた凹部と、
該凹部の底に設けられ、前記閉塞部を貫通する通気孔と、
外周縁部が全周に渡って前記凹部周りに熱溶着されて前記プラグ本体に一体化された通気性を有するフィルターと
を備えることを特徴とするガス抜きプラグ」
である。
【０００９】
ここで、閉塞部の接液側の面とは、液体容器内の液体が接する側の面、すなわち、ガス抜きプラグを液体容器に装着した状態において液体容器の内側に配置される側の面である。なお、本書では、以下、接液側の面を「内面」と称し、接液側の面とは反対側の面を「外面」と称することとする。
【００１０】
上記構成のガス抜きプラグでは、フィルターが、その外周縁部の全周に渡ってプラグ本体に熱溶着されていることから、フィルターからの液漏れを生じ難くすることができる。
【００１１】
また、フィルターは、プラグ本体の閉塞部の凹部周りに熱溶着されており、液体容器の内外を連通させる通気孔は、凹部の底に設けられている。このため、フィルターの裏面（液体容器内に露呈される側の面を表面として、その裏側の面）には、通気孔との間に凹部が存在することになり、フィルターの通気領域は、凹部の開口部分に対応する領域となる。よって、フィルターの有効面積として、通気孔の開口部分の面積よりも大きな十分な有効面積を確保することができる。
【００１２】
上述した手段において、
「前記フィルター周りに突設された筒状部と、
該筒状部の内側と外側とを連通させるスリットと、
前記筒状部の先端に装着されて筒状部先端の開口を閉塞するカバーと、
該カバーの内側と外側とを連通させる貫通孔と
を備えることを特徴とするガス抜きプラグ」
とするのが好適である。
【００１３】
ガス抜きプラグの内面側にフィルターが露呈していると、液体容器内の液体の波打ちによりフィルターの表面に液体が触れ易く、液体によるフィルターの目詰まりが生じ易くなる。また、フィルターに液体が激しく当って、水撃によってフィルターが破損する虞もある。
【００１４】
これに対して、上記構成のガス抜きプラグでは、フィルターが筒状部内に配置されており、筒状部先端の開口を塞ぐカバーによって保護されている。よって、液体が波打ったとしても、フィルターに液体が触れ難く、液体によるフィルターの目詰まりを防止することができ、また、フィルターに液体が激しく当ることもなく、水撃によるフィルターの破損も防止することができる。
【００１５】
なお、内部にフィルターを配置した筒状部の先端の開口がカバーによって塞がれるのであるが、このカバーには、内側と外側とを連通させる貫通孔が設けられている。よって、カバーの貫通孔を通じて、筒状部の内部空間と液体容器の内部空間とが連通される。
【００１６】
ところで、筒状部先端にカバーを装着すると、筒状部の内部空間において空気が滞り易く、フィルターに結露が生じてフィルターの通気性を損なう虞がある。
【００１７】
これに対して、上記構成のガス抜きプラグでは、筒状部に、内側と外側とを連通させるスリットが設けられており、このスリットを通じても、筒状部の内部空間と液体容器の内部空間とが連通される。よって、カバーの貫通孔と筒状部のスリットとで筒状部内の換気を行って、フィルターに結露を生じ難くすることができる。
【００１８】
上述した手段において、
「前記液体容器から突設されると共に雌ネジが設けられた装着口に装着されるガス抜きプラグであり、
前記プラグ本体の外周面に設けられ、前記雌ネジに螺合する雄ネジと、
前記雄ネジよりも先端側に装着され、前記プラグ本体と前記装着口とをシールするパッキンとを備える
ことを特徴とするガス抜きプラグ」
とするのが好適である。
【００１９】
パッキンによって部材間をシールすることは常套手段であり、本発明に係るガス抜きプラグにおいても、パッキンを用いることを単に想到することはできる。
【００２０】
しかしながら、ガス抜きプラグの装着口が、液体容器に突設されたものである場合には、装着口の入口側が変形し易く、装着口の変形し易い入口部分にパッキンが配置される態様では、十分なシール性を確保することが困難となる。
【００２１】
これに対して、上記構成のガス抜きプラグでは、装着口の雌ネジに螺合する雄ネジよりも先端側にパッキンを配置しており、ガス抜きプラグを液体容器に装着した状態では、パッキンが、装着口において変形し難い部分である雌ネジの奥側に位置するようにしている。よって、上記構成のガス抜きプラグでは、パッキンを単に用いただけでなく、パッキンの配設位置を工夫することで、十分なシール性を確保することができる。
【発明の効果】
【００２２】
上述した通り、本発明によれば、フィルターからの液漏れが生じ難く、しかも、フィルターの有効面積を十分に確保することのできるガス抜きプラグを提供することができる。
【図面の簡単な説明】
【００２３】
【図１】本発明に係るガス抜きプラグの一例を示す平面図である。
【図２】図１に示したガス抜きプラグの底面図である。
【図３】図１におけるＡ−Ａ断面図である。
【図４】図１に示したガス抜きプラグを液体容器の装着口に装着した状態を示す断面正面図である。
【発明を実施するための形態】
【００２４】
本発明に係るガス抜きプラグの実施形態としての一例を、以下、図面に従って詳細に説明する。
【００２５】
図１〜３に、ガス抜きプラグ１００の一例を示す。なお、このガス抜きプラグ１００は、液体容器から突設されると共に雌ネジ２０１が設けられた装着口２００に装着されて、液体容器内を大気に開放させるためのものである（図４参照）。
【００２６】
ガス抜きプラグ１００は、樹脂によって円形状に一体成形されたプラグ本体１と、プラグ本体１に夫々装着されたフィルター２０、カバー３０及びパッキン４０とを具備する。
【００２７】
プラグ本体１は、液体容器の装着口２００を塞ぐ閉塞部１０を有しており、この閉塞部１０の外面側の周縁部には、雄ネジ１１が突設されている。この雄ネジ１１を液体容器の装着口２００の雌ネジ２０１に螺合することで、液体容器にガス抜きプラグ１００を着脱自在に装着することができる。
【００２８】
また、閉塞部１０の外面側には、適宜形状のリブ１３が設けられている。このリブ１３は、プラグ本体１としての十分な強度を確保すると共に、プライヤー等の工具を引掛ける工具賭けを構成するものである。
【００２９】
閉塞部１０の内面側の周縁部には、円筒状の突出部１２が設けられている。この突出部１２は、基端部分に装着されたパッキン４０を保持するためものであるが、その他に、ガス抜きプラグ１００を液体容器の装着口２００に装着する際の案内としても機能する。また、後述する筒状部１６よりも大きく突出しており、ガス抜きプラグ１００を単体で取扱う際に、種々の物品がフィルター２０やカバー３０に衝突して破損しないようにフィルター２０やカバー３０を保護するものとしても機能する。
【００３０】
また、閉塞部１０の内面側の中央部分には、凹部１４が設けられており、この凹部１４の底には、閉塞部１０を貫通する通気孔１５が設けられている。ここで、通気孔１５は、プラグ本体１の中心から離間して適宜角度ピッチで複数（本例では４つ）、設けられている。このように通気孔１５をプラグ本体１の中心から離間させることで、プラグ本体１を射出成形によって一体成形するに際して、射出口を中心部分に配置することで材料を均一に射出させることができ、円形状のプラグ本体１を良好に成形することができる。なお、通気孔１５は、微細な孔であり、本例においては、直径１．５ｍｍである。
【００３１】
閉塞部１０の内面側には、上記凹部１４を塞ぐようにしてフィルター２０が配置されており、このフィルター２０は、外周縁部が全周に渡って凹部１４周りに熱溶着されてプラグ本体１に一体化されている。また、フィルター２０周りには、筒状部１６が突設されており、フィルター２０は、筒状部１６内に収容されて筒状部１６内の底に配置されている。筒状部１６の内径は、フィルター２０の外径と同一寸法か僅かに小さい寸法に設定されており、製造の際に、熱溶着に先駆けて筒状部１６内にフィルター２０を内嵌させたり、筒状部１６にフィルター２０を落とし込めむだけで、プラグ本体１に対してフィルター２０が的確に位置決めできるようにしてある。
【００３２】
また、フィルター２０は、種々の薬液に対して耐食性に優れるフッ素樹脂によって形成されており、液体は通過させ難いものの気体は良好に通過する通気性を有するものとして構成されている。
【００３３】
このようなフィルター２０を用いることで、液体容器にガス抜きプラグ１００を装着した状態において、液体容器内を大気に開放させることができる。
【００３４】
なお、液体容器内の圧力が外気圧より高い場合には、液体容器内の気体がフィルター２０、凹部１４及び通気孔１５を順次通じて外界に開放される一方で、液体容器内の圧力が外気圧より低い場合には、外界の気体が通気孔１５、凹部１４及びフィルター２０を順次通じて液体容器内に入り込むのであるが、フィルター２０と通気孔１５との間に凹部１４が設けられており、この凹部１４によってフィルター２０の十分な有効面積が確保されている。よって、本例のガス抜きプラグ１００を用いれば、液体容器内の圧力と外気圧とで差圧が生じたとしても、この差圧を速やかに解消して、差圧による液体容器の変形や破損を的確に防止することができる。
【００３５】
また、フィルター２０は、全周に渡ってプラグ本体１に熱溶着されたものであり、プラグ本体１と確実に密着している。よって、液体容器が揺れたり倒れたりしても、プラグ本体１とフィルター２０との隙間から液体容器内の液体が漏れ出すことはない。
【００３６】
ところで、筒状部１６の先端には、筒状部１６先端の開口を塞ぐカバー３０が装着されている。ここで、このカバー３０は、筒状部１６に着脱可能となっており、必要に応じてガス抜きプラグ１００に装着することができるものとなっている。具体的に、筒状部１６の外周面に凸部或いは凹部を設け（本例では凸部を採用している）、カバー３０の内周面に凹部或いは凸部を設けて（本例では凹部を採用している）、筒状部１６とカバー３０との凹凸係合によってカバー３０を筒状部１６に着脱可能としている。なお、カバー３０を用いる場合には、筒状部１６内のフィルター２０をカバー３０によって保護することができることから、波打ちによって液体が液体容器内において飛び散っても、液体がフィルター２０に触れ難くすることができる。
【００３７】
また、カバー３０には、カバー３０の内側と外側とを連通させる貫通孔３１が設けられており、筒状部１６にカバー３０を装着したとしても、貫通孔３１を通じて、液体容器内の気体を筒状部１６内に流通させることができる。
【００３８】
ところで、カバー３０は、フィルター２０を保護するものであることから、貫通孔３１としては、極力小さく、また、個数も少ない方がよい（本例では、直径４ｍｍの貫通孔３１を一つ設けてある）。しかしながら、小さな貫通孔３１を少数設けただけでは、筒状部１６内の換気が良好に行われず、フィルター２０が結露して目詰まりを生じる虞がある。
【００３９】
そこで、本例では、筒状部１６に、内側と外側とを連通させるスリット１７を設けてあり、このスリット１７とカバー２０の貫通孔３１とで、筒状部１６内の良好な換気が行われるようにしてある。特に本例では、筒状部１６のスリット１７を、閉塞部１０の内側の面にまで達して閉塞部１０の内側の面に溝を形成するものとしてあり、液体容器内において、筒状部１６内を、下部においてはカバー３０の貫通孔３１によって開放され、上部おいては筒状部１６のスリット１７によって開放されるようにしてあり、筒状部１６内の気体の対流によって換気が良好に行われるようにしてある。
【００４０】
プラグ本体１の突出部１２の基端には、パッキン４０が装着されていることは前述のとおりであるが、このパッキン４０は、雄ネジ１１よりも先端側に位置している。よって、ガス抜きプラグ１００を液体容器に装着すると、図４に示すように、装着口２００の入口部分よりも変形し難い雌ネジ２０１の奥側にパッキン４０が配置され、装着口２００とガス抜きプラグ１００とが的確にシールされる。
【００４１】
特に、本例では、パッキン４０が、ガス抜きプラグ１００の雄ネジ１１先端の押圧部１８と、装着口２００の雌ネジ２０１奥端のパッキン座２０２との間に配置され、装着口２００に螺合するガス抜きプラグ１００の締付けによって変形するようにしてある。よって、締付け力を強めることで、装着口２００とガス抜きプラグ１００とのより確実なシール性を得ることができる。また、パッキン４０が着座する装着口２００のパッキン座２０２の表面には、凸条が設けられており、凸条に倣ったパッキン４０の変形によって、さらに確実なシール性を得ることができる。
【００４２】
以上、本発明に係るガス抜きプラグの一例を説明したが、本発明に係るガス抜きプラグは、上述の例に限らず、本発明の要旨を逸脱しない範囲で、適宜の変更が可能である。
【００４３】
例えば、上述した例のガス抜きプラグにおける各種寸法は、あくまでも例示であり、本発明の要旨を逸脱しない範囲で適宜設定することができる。
【符号の説明】
【００４４】
１  プラグ本体
１０  閉塞部
１１  雄ネジ
１２  突出部
１３  リブ
１４  凹部
１５  通気孔
１６  筒状部
１７  スリット
１８  押圧部
２０  フィルター
３０  カバー
３１  貫通孔
４０  パッキン
１００  ガス抜きプラグ
２００  装着口
２０１  雌ネジ
２０２  パッキン座
【図１】
2010228801.tif 000003
【図２】
2010228801.tif 000004
【図３】
2010228801.tif 000005
【図４】
2010228801.tif 000006